(57)【要約】【課題】浄水器の設置スペースをコンパクト化して流し台下部の収納部を有効的に利用できるようにする。【解決手段】流し台１の下部スペースに配置される浄水器３と、浄水器３を取付ける取付け手段４とを備えたアンダーシンク型浄水装置であって、浄水器３は原水入口３９及び浄水出口３８を有するハウジング３０と、このハウジング３０内に設けた水処理用カートリッジ５０とを備える。取付け手段４は浄水器３を支持させるトレー７０と浄水器３と一緒にトレー７０を吊り下げて流し台の天板部１４の下部に固定する固定手段８０とを備える。浄水器３の原水入口及び浄水出口を水栓２の所定部にそれぞれ接続する。【選択図】図１
2006169784.tif 000002
【特許請求の範囲】
【請求項１】
流し台の下部におけるスペースに配置される浄水器と、この浄水器を取付ける取付け手段とを備えたアンダーシンク型浄水装置であって、
前記浄水器は原水入口及び浄水出口とを有するハウジングと、このハウジング内に設けた水処理用カートリッジとを備え、
前記取付け手段は、前記浄水器を支持させるトレーと、浄水器と一緒に前記トレーを吊り下げて流し台の天板部の下部等に固定する固定手段とを備え、
前記浄水器の原水入口及び浄水出口を所定部にそれぞれ接続するように構成したことを特徴とする、
アンダーシンク型浄水装置。
【請求項２】
前記浄水器のハウジングは略円筒形状に形成されていると共に前記トレーは前記ハウジングの円筒部の略半分ないし約半分弱程度を嵌合する略半円筒形状に形成され、前記浄水器は横向きの姿勢で前記トレーに支持させて配置するように構成されていることを特徴とする、請求項１に記載のアンダーシンク型浄水装置。
【請求項３】
前記固定手段は、前記浄水器を前記トレーに支持させた状態で、これら両者に嵌合する大きさのリング部を有する吊り下げ用バンド部を含んで構成されていることを特徴とする、請求項１又は２に記載のアンダーシンク型浄水装置。
【請求項４】
前記水処理用カートリッジは、繊維状活性炭層を含んで構成されていることを特徴とする、請求項１ないし３のいずれか１項に記載のアンダーシンク型浄水装置。
【請求項５】
前記水処理用カートリッジは、二価三価鉄塩を含有する複数個のセラミックで構成した水処理剤層を含んで構成されていることを特徴とする、請求項１ないし４のいずれか１項に記載のアンダーシンク型浄水装置。
【請求項６】
前記二価三価鉄塩は、式、
Ｆｅ＋２ｍ  Ｆｅ＋３ｎ  Ｃｌ２ｍ＋３ｎ（式中ｍ及びｎは正の整数を示す）
で示される化合物であることを特徴とする、請求項５に記載のアンダーシンク型浄水装置。
【発明の詳細な説明】
【技術分野】
【０００１】
本発明は、流し台の下部に設置するアンダーシンク型浄水装置に関するものである。
【背景技術】
【０００２】
従来、浄水装置として流し台上に設置するタイプや蛇口直結型のものが知られているが、最近においては流し台の下方に設置するアンダーシンク型も普及している。
従来のアンダーシンク型は、主に流し台下部の収納スペースに浄水器を置いて使用するように構成したものが一般に知られている（例えば、特許文献１,２参照）。しかし、浄水器を置いて使用するタイプでは設置スペースが大きくなるため、流し台下部の収納部の有効利用スペースが狭くなる問題を有している。
【０００３】
また、近年においては、流し台下部の収納スペースを引き出しタイプに構成した流し台が人気を集めているが、この引き出しタイプの流し台に、従来のように浄水器を置いて設けることは無理な場合が生じる。
【特許文献１】特開平７−２７５８４８号公報
【特許文献２】特開２０００−１４０８３１号公報
【発明の開示】
【発明が解決しようとする課題】
【０００４】
本発明は上記のような実情に鑑み、浄水器の設置スペースをコンパクト化して流し台下部の収納部の有効利用スペースを上述した従来型に比べて大きくできると共に引き出しタイプの流し台にも適応して設置できるアンダーシンク型浄水装置を提供することを目的とするものである。
【課題を解決するための手段】
【０００５】
上記目的を達成するため、本発明は、流し台の下部におけるスペースに配置される浄水器と、この浄水器を取付ける取付け手段とを備えたアンダーシンク型浄水装置であって、前記浄水器は原水入口及び浄水出口とを有するハウジングと、このハウジング内に設けた水処理用カートリッジとを備え、前記取付け手段は、前記浄水器を支持させるトレーと、浄水器と一緒に前記トレーを吊り下げて流し台の天板部の下部等に固定する固定手段とを備え、前記浄水器の原水入口及び浄水出口を所定部にそれぞれ接続するように構成したことを特徴とする。
【０００６】
本発明において、前記浄水器のハウジングは略円筒形状に形成されていると共に前記トレーは前記ハウジングの円筒部の略半分ないし約半分弱程度を嵌合する略半円筒形状に形成され、前記浄水器は横向きの姿勢で前記トレーに支持させて配置するように構成することができる。
【０００７】
本発明において、前記固定手段は、前記浄水器を前記トレーに支持させた状態で、これら両者に嵌合する大きさのリング部を有する吊り下げ用バンド部を含む構成を採用することができる。
【０００８】
本発明において、前記水処理用カートリッジは、繊維状活性炭層を含む構成を採用することができる。また、前記水処理用カートリッジは、二価三価鉄塩を含有する複数個のセラミックで構成した水処理剤層を含む構成を採用することができる。
【０００９】
本発明において、前記二価三価鉄塩としては、例えば、式、
Ｆｅ＋２ｍ  Ｆｅ＋３ｎ  Ｃｌ２ｍ＋３ｎ（式中ｍ及びｎは正の整数を示す）
で示される化合物が例示できる。
【発明の効果】
【００１０】
本発明によれば、浄水器をトレーで支持させ、これを固定手段によって流し台の天板部の下部に固定して設置するように構成してあるので、浄水器の設置スペースをコンパクト化することができる。したがって、流し台下部の収納部の有効利用スペースを従来の置き型のものに比べて大きくすることができる。また、引き出しタイプの流し台にも適応して設置することができる。即ち、引き出しタイプの流し台には、シンクの左又は右にデットスペースがある。本発明の浄水装置は前記デットスペースを利用して設置することができる。
【発明を実施するための最良の形態】
【００１１】
以下、図面を参照して本発明の実施の形態の一例を説明する。本発明の実施の形態のアンダーシンク型浄水装置を流し台に設置した状態を示す説明図、図２は同上浄水装置の浄水器の一例を示す縦断面図、図３は同上浄水器に採用された水処理用カートリッジの一例を示す縦断面図、図４は同上浄水装置の浄水器を取付ける取付け手段の全体構成の一例を示す側面図（ａ）と正面図（ｂ）、図５は同上取付け手段に採用されたトレーの一例を示す平面図（ａ）と縦断面図（ｂ）、図６は同上トレーの正面図、図７は同上取付け手段に採用された固定用金具（アングル）の一例を示す斜視図、図８は図１に示す流し台に設けられた水栓の一例を示す平面側から見た説明図、図９は引き出しタイプの流し台の一例を示す正面側から見た説明図である。
【００１２】
上記図１ないし図９において、この実施の形態のアンダーシンク型浄水装置は、流し台１の下部におけるスペースに配置される浄水器３と、この浄水器３を取付ける取付け手段４とを備えている。
【００１３】
この実施の形態の流し台１は、図９に示すように、収納スペースを引き出しタイプ、即ち、引き出しタイプのキャビネット１１で構成した流し台が開示されている。図９において、１２ａ…１２ｅは引き出し、１３は引き出しの取手、１４は流し台１のキャビネット１１の天板部、１５はシンク、１６はシンク１５の部位に位置するキャビネット１１の正面に設けた当て板、１７はキャビネットの側板を示す。図９に示す流し台１は、キャビネット１１の天板部１４の下部におけるシンク１５と側板１７との間にデットスペース１８を有している。
そして、この実施の形態の浄水装置は、浄水器３を前記デットスペースに設置する例が開示されている。
【００１４】
前記流し台１は天板部１４上に水栓２が設けてある。実施の形態の水栓２は図１に詳細に示すように、三方向切換弁２１、操作レバー２２及び蛇口２３を備え、浄水器を接続して使用できるタイプに構成されている。この水栓２には水道水等の原水用の導管２４と、湯用の導管２５と、原水導入管２６及び浄水導出管２７の一端がそれぞれ連結されている。
前記原水用の導管２４の他端は元栓２８を介装して水道管等の原水供給部（図示せず）と連結され、湯用の導管２５の他端は元栓２９を介装して湯沸器等の湯供給部（図示せず）と連結されている。
また、前記導入管２６の他端は浄水器３の原水入口３９と連結されると共に前記導出管２７の他端は浄水器３の浄水出口３８と連結される。
【００１５】
そして、水栓２は、図８に示すように、例えばレバー２２が同図実線の部位に位置した状態においては、導管２４から導入される原水（水道水等）をそのまま蛇口２３から流出させる。また、レバー２２を前記状態から矢印Ａ方向に回動（切換）操作して同図仮想線ａで示す部位に位置させた状態においては、導管２５から導入される湯を蛇口２３から流出させる。さらにまた、レバー２２を図８の実線の位置から矢印Ｂ方向に回動（切換）操作して同図仮想線ｂで示す部位に位置させた状態においては、導管２４から水栓２へ導入される原水を浄水器に導入し、浄水器通過水（浄化処理水）を蛇口２３から流出させるように構成されている。
【００１６】
前記浄水器３は、カートリッジを収容するハウジング３０と、このハウジング３０内に交換可能に収容して設けた水処理用カートリッジ５０とを備えている。
【００１７】
前記ハウジング３０は、一端を板３２で閉塞すると共に他端を開口３３し、略円筒形状に形成した収容筒部３１と、この筒部３１の開口３３部を気密に閉塞する蓋部材３４と、この蓋部材３４を筒部３１に固定する固定用リング３５とを有している。前記蓋部材３４は筒部３１の開口３３部にＯパッキング３６を介在して嵌合し、その上から前記リング３５を嵌合すると共にリング３５を筒部３１に螺合３７して締付け、蓋部材３４を筒部３１に着脱自在に固定するように構成してある。
【００１８】
前記ハウジング３０は、前記板３２の中心部に固設した管部材３８ａで構成した浄水出口３８と、前記板３２の外方部側に固設した管部材３９ａで構成した原水入口３９とを有している。前記出口３８及び入口３９には接続用のプラグ４０及び４１がパッキング等を介在し、気密性を保持して螺合して設けてある。これにより、プラグ４１を経て入口３９からハウジング３０内に導入された水道水等の原水は、カートリッジ５０を通過して処理され、出口３８からプラグ４０を通ってハウジング外へ導出するようになっている。
【００１９】
なお、図示しないが、前記入口３９を構成した管部材３９ａ内には、プラグ４１からハウジング３０内の方向へのみ流体の流通を許容する逆止弁が設けてある。また、前記出口３８を構成した管部材３８ａ内には、ハウジング３０側からプラグ４０側の方向へのみ流体の流通を許容する逆止弁が設けてある。
【００２０】
前記カートリッジ５０は、適当な径及び長さの格子状の丸パイプや多孔性の丸パイプ等（図示では格子状の丸パイプ）で形成され、水流通性を有する管体５１と、この管体５１と略同一の長さの円筒状に形成され、管体５１に嵌合して設けた繊維状活性炭層５２とを有している。前記活性炭層５２の内周面及び外周面にはプラスチック繊維等の不織布等で形成したフィルタ部材５３,５４が添装され、前記活性炭層５２と一体化して設けてある。
【００２１】
前記カートリッジ５０は前記活性炭層５２の両端に相対向して設けた一対の蓋体５５,５５を有している。両蓋体５５は同一に構成され、前記活性炭層５２の直径と対応する大きさの円板５６と、円板５６の外周縁に沿って設けられ、前記活性炭層５２（フィルタ部材５４）の外周端部に嵌合する嵌合筒部５７と、前記管体５１と略同径に形成され、板５６の中心部に位置させると共に前記筒部５７と反対方向に向けて突設した筒体５８とを有している。
【００２２】
また、両蓋体５５は板５６の中心部側に位置させて設けられ、管体５１内と筒体５８内とを連通する任意数の連通孔５９と、筒体５８の反対側に位置させて板５６に設けられ、筒体５１の端部と係合する係合筒部６０とを有している。
そして、両蓋体５５は、嵌合筒部５７をフィルタ部材５４（前記活性炭層５２）の端部に嵌合すると共に係合筒部６０を管体５１の端部に係合し、固定して設けてある。
【００２３】
前記両筒体５８には、Ｏパッキンッグ６１を介在してシールさせ、キャップ体６２,６２が嵌合して設けてある。両キャップ体６２の中心部には前記出口３８を構成した管部材３８ａの外径より幾分小径の円孔６３が開設してある。また、出口３８を構成した管部材３８ａの基端外周面（図２において左側端外周面）には、前記円孔６３の周縁部と係合する環状の係合段部３８ｂが形成されている。
【００２４】
前記カートリッジ５０は、図２に示すように、一方のキャップ６２の円孔６３の周縁部を管部材３８ａの係合段部３８ｂに係合して密接すると共に他方のキャップ６２をハウジング３０の蓋部材３４の内側面で圧接してハウジング３０内に収容されている。これにより、原水入口３９からハウジング３１内に導入された原水は、図２及び図３に矢印で示すように、フィルタ部材５４,繊維状活性炭層５２及びフィルタ部材５３を通過して濾過処理され、管体５１内に入り、連通孔５９,キャップ体６２の円孔６３を経て浄水出口３８から導出するようになっている。
なお、実施の形態のカートリッジ５０は前記活性炭層５２の両端に設けた蓋体５５及びキャップ体６２等を同一に構成されている。したがって、この構成を採用すると、両キャップ体６２のうち、いずれのキャップ体６２側を前記出口３８側に向けてハウジング３０内に収容しても前記のようにセットして使用することができる。
【００２５】
実施の形態のカートリッジ５０は、図３に示すように、前記管体５１内に充填して設けた二価三価鉄塩を含有する複数個のセラミック６４ａで構成した水処理剤層６４を備えている。また、管体５１内には水処理剤層６４の両端に不織布等で構成したフィルタ部材６５,６５が敷設されている。
【００２６】
前記セラミック６４ａが含有する二価三価鉄塩としては、例えば、式、
Ｆｅ＋２ｍ  Ｆｅ＋３ｎ  Ｃｌ２ｍ＋３ｎ（式中ｍ及びｎは正の整数を示す）で示される化合物を採用することができる。
【００２７】
前記式で示される二価三価鉄塩は近年開発された活性物質で、この活性物質（二価三価鉄塩）は二価鉄と三価鉄との中間の性質を示す単一の化合物、或いは二価鉄と三価鉄が共存する単一の化合物であると思われる。この二価三価鉄塩は現在工業的に生産可能である。
【００２８】
前記二価三価鉄塩は、例えば塩化第二鉄を水酸化ナトリウム，水酸化カルシウム，水酸化カリウム，水酸化リチウム等の強アルカリの水溶液に投入して原子価変換を起こさせた場合の遷移形態等として得られる（第１の方法）。この第１の方法による具体的製造方法として、例えば次の工程により得たものを例示する。即ち、塩化第二鉄を強アルカリの水溶液に溶解させる工程、この溶液を中和する工程、この中和した溶液を濃縮する工程、とを含んで製造する。
【００２９】
また、二価三価鉄塩は、三価の鉄塩と二価の金属塩とを混合した溶液によっても得られる。具体的には、例えば三価の鉄塩及び二価の金属塩を所定の比率で含有する所定濃度の希薄水溶液に、第二鉄塩を添加して溶解させ、得られた溶液を濃縮して製造することができる（第２の方法）。前記第二鉄塩としては、例えば塩化第二鉄、硫酸第二鉄、硝酸第二鉄を用いることができる。前記二価の金属塩としては、例えば塩化カルシウム，塩化マグネシウム，塩化亜鉛，硫酸マグネシウム，硝酸カルシウム，硝酸マグネシウム，硝酸亜鉛を用いることができる。
【００３０】
前記二価三価鉄塩の前記式中のｍ：ｎの比は前記化合物製造に用いる物質の種類等により特定の数値をとる。
【００３１】
前記二価三価鉄塩の活性物質は水と接触することにより、種々の作用を有する。即ち、通常の水に前記活性物質を超微量（例えば、濃度２×１０−１２モルないし２×１０−１８モル）混入することにより、この水溶液（前記二価三価鉄塩を含有する水）は水分子の構造変化，脱イオン反応，病原菌の阻止作用,ＰＨの安定効果等の特性を持つことが判明している。
【００３２】
前記セラミック６４ａは前記式で示される化合物を含有させたものである。前記セラミック６４ａは適当な大きさ及び形状に形成するもので、この実施の形態では、例えば直径約５〜約１５ミリ程度のボール状に形成してある。セラミック６４ａを製造する基材の構成原料は、例えば粘土を主材とし、これに所望の添加剤（材）を適量混入する。また、セラミック６４ａは無数の微細な孔（室）を備えた多孔質に形成することが好ましく、その形成手段としては、例えば前記基材の原料中に適量のおがくずを混入する方法等が挙げられる。
【００３３】
セラミック６４ａを製造する前記基材の焼成温度は約８００℃〜約１１００℃程度、焼成時間は約１０時間〜約３０時間程度を例示できる。また、前記基材の原料中に混入する前記二価三価鉄塩の活性物質の量は極く少量で充分であり、例えば、前記基材の原料を混練して所望の大きさ、形状に形成する際に使用する水（蒸留水等がよい）に約１００万〜約１０億分の１％混入、即ち、前記活性物質を蒸留水等に約１００万〜約１０億分の１％含有してなる水溶液を粘土材の練り用水として使用することにより目的を達成することができる。但し、前記％の範囲内に限定するものではない。
【００３４】
なお、前記式で示される二価三価鉄塩及びセラミック６４ａのさらに具体的な製造方法については、例えば特開２００４−２４３２９６号公報に開示されている（例えば、同公報の段落番号００６５〜００６７等参照）。本発明においても同上公報に記載されている製造方法と同様の方法を採用して製造することができる。
【００３５】
実施の形態のカートリッジ５０は、上述したように管体５１内に充填した複数個の前記セラミック６４ａで構成した水処理剤層６４を備えている。したがって、フィルタ部材５４,繊維状活性炭層５２及びフィルタ部材５３を通過して濾過処理され、管体５１内に導入された浄化水は水処理剤層６４,フィルタ部材６５,連通孔５９,キャップ体の円孔６３を経て浄水出口３８から導出する。そして、前記水は水処理剤層６４を通過中、セラミック６４ａと接触して反応し、前記式で示される二価三価鉄塩を含有する水となる。このように、実施の形態のカートリッジ５０によれば、二価三価鉄塩の作用による上述した特性を有する水になる。
【００３６】
前記取付け手段４は、浄水器３を支持するトレー７０と、浄水器３と一緒にトレーを吊り下げて流し台１の天板部１４の下部等に固定する固定手段８０とを備えている。
【００３７】
前記トレー７０はプラスチック等で構成されている。実施の形態のトレー７０は浄水器３のハウジング３０の円筒部、即ち、ハウジング３０の収容筒部３１及び蓋部材３４の約半分弱程度を嵌合する大きさの略半円筒形状に形成されている。
実施の形態のトレー７０は前記大きさの略半円筒形状に形成した半円筒部７１と、この半円筒部７１の両端に相対向させ、半円筒部７１と一体成形して設けた前壁板７２及び後壁板７３とを備えている。前壁板７２の上端部側の中央部には浄水器３の浄水出口３８と対応する大きさの略半円形の切欠部７４が形成され、浄水器３を横向きの姿勢でトレー７０に嵌合した際に、前記出口３８が切欠部７４内へ係合するように構成されている。
【００３８】
前記トレー７０の前記半円筒部７１の両端部７２ａ,７３ａ側の近くには、筒部７１の外壁面から外側方向へ突出する係合用段差部７５,７６が形成されている。トレー７０に前記段差部７５,７６を設けることにより、固定手段８０の後述するリング部８３をトレー７０に嵌合する際の位置決めの役目を持たせることができると共に、トレー７０の前後方向の動きを規制するストッパーの作用も兼ね備える。
【００３９】
実施の形態の前記固定手段８０は、プラスチック等で構成した任意数（図示では２個）の吊り下げ用バンド部８１,８１と、金属等で構成したＬ形アングル等の固定用金具８２とを備えている。実施の形態の固定用金具８２はＬ形アングルで構成したものが開示されている。
【００４０】
前記バンド部８１は、浄水器３をトレー７０に嵌合して支持させた状態で、これら両者３,７０に嵌合する大きさのリング部８３と、このリング部８３の両端部に相対して形成した固定部８４ａ,８４ｂとを備えている。前記固定部８４ａ,８４ｂにはボルト挿入孔８５ａ,８５ｂが相対向して設けてある。
【００４１】
前記アングルで構成した固定用金具８２の一方の板体８２ａには任意数（図示では３個）のネジ挿入孔８６が設けてある。また、前記金具８２の他方の板体８２ｂには長孔で形成した任意数（図示では２個）のボルト挿入孔８７が設けてある。
【００４２】
実施の形態の浄水装置は上記のように構成され、流し台１の下部スペースに設置して使用される。実施の形態では浄水装置を流し台１の下部におけるデッドスペース１８に設置した例が開示されている。以下、設置方法の一例につき説明する。
【００４３】
図１に示すように、デッドスペース１８に位置させ、固定用金具８２の一方の板体８２ａのネジ挿入孔８６にネジ８８を挿入し、前記金具８２を流し台１の天板部１４の下面にネジ止めして固定する。一方、トレー７０に浄水器３を嵌合して支持させた状態で、両バンド部８１のリング部８３を前記両者７０及び３に嵌合して吊り下げる。そして、両バンド部８１の両固定部８４ａ,８４ｂで前記金具８２の他方の板体８２ｂを挟ませ、その状態でボルト８９を、固定部８４ａ,８４ｂ及び板体８２ｂの各ボルト挿入孔８５ａ,８７,８５ｂに貫挿し、ナット９０で締め付けて固定する。これにより、浄水器３（浄水装置）は流し台下部のデッドスペース１８に設置される。
【００４４】
そして、一端を連結部材９１により水栓２の原水導入管２６の他端に連結したホース等で構成した原水輸送管９２の他端に設けたワンタッチ式のカプラ等のソケット９３を浄水器３の入口３９側のプラグ４１に嵌合して連結する。また、一端を連結部材９４で水栓２の浄水導出管２７の他端に連結したホース等で構成した浄水輸送管９５の他端に設けたワンタッチ式のカプラ等のソケット９６を浄水器３の出口３８側のプラグ４０に嵌合して連結する。
上記により、水栓２の原水導入管２６は浄水器３の原水入口３９と接続され、また、水栓２の浄水導出管２７は浄水器３の浄水出口３８と接続され、これによりセット作業は完了する。
なお、実施の形態の前記ソケット９３及び９６はワンタッチ式のカプラで構成したものが開示されている。
【００４５】
そこで、水栓２のレバー２２を浄水器用側に回動して操作すると、導管２４から水栓２に導入される水道水等の原水は、前記導入管２６及び前記輸送管９２を通って浄水器３の原水入口３９からハウジング３０内に導入され、カートリッジ５０を通過して処理される。そして、前記処理水（カートリッジ通過水）は、浄水出口３８から導出され、前記輸送管９５及び前記導出管２７を通り、水栓２の蛇口２３から流出する。
【００４６】
図１０は上記実施の形態の浄水装置の他の設置使用例を示す説明図である。この使用例において、上記実施の形態で既に説明した構成と共通する部材等には同一符号を付し、説明は省略する。なお、浄水器３及び浄水器３の取付け手段４は上述した実施の形態のものを採用している。
【００４７】
図１０の示す水栓２Ａは、浄水器を取付けて使用できる三方向切換弁を備えてなく、湯用及び原水用に切換える二方向切換弁２１Ａを備えている。このような水栓の場合には、流し台１の天板部１４上の適当部に浄水器用水栓１００を設置する。
【００４８】
前記水栓１００は、蛇口１０１と、開閉操作部１０２とを備えている。また、前記水栓１００には、水道水等の原水用の導管１０３と、原水導入管１０４及び浄水導出管１０５の一端がそれぞれ連結されている。
また、水栓２Ａ側の原水用の導管２４と元栓２８との間にはＴ字形の分岐管１０６が介装され、分岐管１０６と水栓１００側の前記導管１０３の他端は分岐用の配管１０７で接続してある。
【００４９】
図１０の使用例においても、浄水器３は上述した実施の形態と同様に取付け手段４により流し台下部のデッドスペース１８に設置されている。
そして、浄水器用の水栓１００の原水導入管１０４と浄水器３の原水入口３９をホース等で構成した原水輸送管９２で接続する。また、水栓１００の浄水導出管１０５と浄水器３の浄水出口３８をホース等で構成した浄水輸送管９５で接続する。これにより浄水器のセット作業は完了する。
【００５０】
そこで、水栓１００の開閉操作部１０２を操作して開くと、分岐用の配管１０７を通り、導管１０３から水栓１００に導入される水道水等の原水は、導入管１０４及び輸送管９２を通って浄水器３の原水入口３９からハウジング３０内に導入され、カートリッジ５０を通過して処理される。そして、前記処理水（カートリッジ通過水）は、浄水出口３８から導出され、輸送管９５及び導出管１０５を通り、水栓１００の蛇口１０１から流出する。また、既設の水栓２Ａは従来どうり、原水用及び湯用として使用される。
【００５１】
なお、上記した実施の形態は一例として開示したもので、本発明は上記実施の形態に限定されるものではなく、特許請求の範囲に記載の技術的思想を越脱しない範囲において任意に変更可能なものである。
【図面の簡単な説明】
【００５２】
【図１】本発明の一実施の形態のアンダーシンク型浄水装置を流し台に設置した状態を示す説明図である。
【図２】同上浄水装置の浄水器の一例を示す縦断面図である。
【図３】同上浄水器に採用された水処理用カートリッジの一例を示す縦断面図である。
【図４】同上浄水装置の浄水器を取付ける取付け手段の全体構成の一例を示す側面図（ａ）と正面図（ｂ）である。
【図５】同上取付け手段に採用されたトレーの一例を示す平面図（ａ）と縦断面図（ｂ）である。
【図６】同上トレーの正面図である。
【図７】同上取付け手段に採用された固定用金具（アングル）の一例を示す斜視図である。
【図８】図１に示す流し台に設けられた水栓の一例を示す平面側から見た説明図である。
【図９】引き出しタイプの流し台の一例を示す正面側から見た説明図である。
【図１０】図１に示すアンダーシンク型浄水装置の他の取付け使用例を示す説明図である。
【符号の説明】
【００５３】
１      流し台
２      水栓
３      浄水器
４      取付け手段
１４    天板部
３０    ハウジング
３８    浄水出口
３９    原水入口
５０    水処理用カートリッジ
７０    トレー
８０    固定手段
【図１】
2006169784.tif 000003
【図２】
2006169784.tif 000004
【図３】
2006169784.tif 000005
【図４】
2006169784.tif 000006
【図５】
2006169784.tif 000007
【図６】
2006169784.tif 000008
【図７】
2006169784.tif 000009
【図８】
2006169784.tif 000010
【図９】
2006169784.tif 000011
【図１０】
2006169784.tif 000012